(57)【特許請求の範囲】
【請求項１】
接合部で２以上に分割できるカバーに包囲されて、浴室ユニットの床，壁などの開口部または凹部に挿入状に設置される温水タンクであって、前記カバーは、浴室ユニット内に位置する前記接合部から内部圧力を解放できるように構成されていることを特徴とする温水タンク構造。
【請求項２】
接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力の上昇，低下を緩衝する緩衝部材が設けられていることを特徴とする温水タンク構造。
【請求項３】
前記緩衝部材は、カバー内部の圧力が所定以上に高くなると該カバーから外れる構造であることを特徴とする請求項２に記載の温水タンク構造。
【請求項４】
前記緩衝部材は、カバー内部の圧力が所定以上に高くなると破れて孔の開く構造であることを特徴とする請求項２に記載の温水タンク構造。
【請求項５】
接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると破損する肉薄部または平面部またはアール部が形成されていることを特徴とする温水タンク構造。
【請求項６】
接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると圧力を解放する逆止弁が取り付けられていることを特徴とする温水タンク構造。
【発明の詳細な説明】
【０００１】
【産業上の利用分野】
この発明は、温水タンクの構造に関するものである。
【０００２】
【従来の技術及びその課題】
従来、水栓金具への湯の供給は、浴室から離れた場所に設置された給湯器から行われているが、給湯器と浴室が離れているため、水栓金具の蛇口をひねってもすぐに湯が出なく、また、給湯器が燃焼を開始して温度が上がるまでの間は、配管内の冷水が水栓金具から吐出されてしまうという問題点があった。
また、従来、浴室の天井裏空間に温水保温タンクを設けて、給湯器からの給湯を温水保温タンクを介して水栓金具に供給するような構造のもの（特開平７−２７５１５１号公報）が存在するが、天井裏から水栓金具までは距離が遠く、蛇口をひねった時に、初期には水栓金具までの配管中の冷水が吐出されるという問題点があり、また、天井まで配管を立ち上げる分、配管の長さが長くなってしまうという問題点があった。
このような問題点を解決するために、発明者らは既に特願平１０−２０１１９８号として、浴室の床または壁に、タンク用の開口部と、それを塞ぐ蓋を設けて、この開口部付近の床下，壁裏に温水タンクを設置する構造を出願しているが、従来では、温水タンクが破損したような場合に、外周側の蓋が内部圧に耐えきれず破損してしまい、浴室ユニットの床下に漏水が発生してしまう虞れがあるという問題点があった。
【０００３】
【課題を解決するための手段】
本発明は上記従来の問題点に鑑み案出したものであって、カバーの破損を防ぎ、浴室ユニットの床下への漏水を回避することのできる温水タンク構造を提供せんことを目的とし、その第１の要旨は、接合部で２以上に分割できるカバーに包囲されて、浴室ユニットの床，壁などの開口部または凹部に挿入状に設置される温水タンクであって、前記カバーは、浴室ユニット内に位置する前記接合部から内部圧力を解放できるように構成されていることである。
また、第２の要旨は、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力の上昇，低下を緩衝する緩衝部材が設けられていることである。
また、第３の要旨は、前記緩衝部材は、カバー内部の圧力が所定以上に高くなると該カバーから外れる構造であることである。
また、第４の要旨は、前記緩衝部材は、カバー内部の圧力が所定以上に高くなると破れて孔の開く構造であることである。
また、第５の要旨は、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると破損する肉薄部または平面部またはアール部が形成されていることである。
また、第６の要旨は、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると圧力を解放する逆止弁が取り付けられていることである。
【０００４】
【実施例】
以下、本発明の実施例を図面に基づいて説明する。
図１は、温水タンクを包囲する上カバーと下カバーの接合状態の斜視構成図であり、また図２は、図１の縦断面構成図であり、また図３は、上カバーを取り外した状態の斜視構成図である。
【０００５】
浴室１の底面を構成する防水パン２には貫通状に開口部２ａが形成されており、この開口部２ａ内に上方より挿入状に温水タンク３が配置されており、この温水タンク３は、その外周に断熱材４が巻かれて、その外周が、下カバー５と上カバー６で包囲されており、前記防水パン２の開口部２ａに下カバー５が挿入されて、この下カバー５に対し上方より上カバー６が接合部Ｐで接合されたものとなっている。
【０００６】
温水タンク３はヒーターを備えて、その内部で湯を５０℃〜８０℃程度に加温することができるように密閉状に形成され、側面側が円筒曲面３ａで、上面は、お椀状の椀状曲面３ｂとなっており、前記下カバー５には、温水タンク３の円筒曲面３ａの曲面に沿った円筒曲面５ａが形成されて、下カバー５の内部に温水タンク３の下部がほぼ密着状に配置されるように構成されており、下カバー５は、この円筒曲面５ａの上部に、外方向へ突出状にフランジ部５ｂが形成されており、このフランジ部５ｂが、前記防水パン２の開口部２ａ上に載置されるものであり、図３に示すように、このフランジ部５ｂの内側には、立ち上げ状に立上部５ｃが一体形成されて、この立上部５ｃは、温水タンク３の円筒曲面３ａに沿った曲面状に全周に形成されている。なお、この立上部５ｃは全周に形成される他、部分的に形成されたものであっても良い。
【０００７】
また、フランジ部５ｂの外周側には固定ビス孔５ｄ，５ｄが所定間隔で形成されており、この固定ビス孔５ｄ，５ｄ内にビスを上方よりネジ込んで、防水パン２に下カバー５を水密状に固定できるように構成されている。この下カバー５のフランジ部５ｂの上面にはパッキン７が設けられ、このパッキン７は前記立上部５ｃの外側に配置されるものである。
【０００８】
一方、上カバー６は、温水タンク３の円筒曲面３ａに沿った曲面の円筒曲面６ａと、この円筒曲面６ａの上部で、前記温水タンク３の椀状曲面３ｂに沿った曲面の椀状曲面６ｂを有して、温水タンク３の側面及び上面にほぼ密着できるような形状に形成されており、その円筒曲面６ａの下端には、外方向へ突出して全周に亘りフランジ部６ｃが形成され、このフランジ部６ｃの内側には垂直状をなす垂下部６ｄが一体形成されたものとなっており、また、フランジ部６ｃには、所定間隔でビス取付孔６ｆ，６ｆ，６ｆが形成されたものとなっている。
【０００９】
図２に示すように、下カバー５のフランジ部５ｂ上にパッキン７を介在させた状態で、その上方側より上カバー６を被せると、上カバー６の垂下部６ｄが下カバー５の立上部５ｃの外側に、立上部５ｃとの間に隙間を形成して平行状に配置され、上カバー６のフランジ部６ｃがパッキン７上に当接されるものであり、この状態でビス取付孔６ｆに上方よりビスを通して、ビスを下カバー５側にネジ込んで、上カバー６がビスを介し下カバー５に接合部Ｐで接合されるものである。
【００１０】
なお、この場合、上カバー６を下カバー５に接合するためのビスのネジ込み強さを緩くして、内部圧力が所定圧を超えた時には、上カバー６が下カバー５から浮き上がって、パッキン７と上カバー６のフランジ部６ｃ間に隙間ができて、内部圧力を外側、即ち浴室１内に解放できるようにしておくことができ、また、構造的に内部圧力が立上部５ｃを超えてフランジ部６ｃを押し上げて、浴室１内に逃げることができるように、下カバー５と上カバー６の接合部Ｐのパッキン７の周辺には隙間が形成されて、内部圧力が上昇した時には上カバー６が浮き上がって浴室内に圧力を解放できるように構成されており、この時に、上カバー６のズレを防ぐために、前記立上部５ｃが下カバー５に形成されて、上カバー６が大きくズレることのないように構成されている。
【００１１】
例えば、温水タンク３内で湯が高温になったような場合には、下カバー５と上カバー６で包囲されている空間の内部圧力が上昇し、上カバー６が僅かに持ち上げられて浴室１内に内部圧力が解放されるため、下カバー５にかかる圧力は少なく、下カバー５の破損が確実に防がれて、下カバー５が破損することによる床下への漏水を確実に防ぐことができるように構成されている。
【００１２】
また、下カバー５及び上カバー６は、温水タンク３の曲面形状に対応した曲面形状に形成されて、なるだけ温水タンク３に密着するように設計されているため、内部圧の上昇，低下の変動量が少なくなり、また、密着状であるため強度が大となり、下カバー５及び上カバー６を小型化させて全体をコンパクトに形成させることができるように構成されている。このように内部圧の上昇，低下量が少なくなるように設定されているため、内部での結露を少なくすることができる。
【００１３】
なお、本例では、前記上カバー６の上部の椀状曲面６ｂに緩衝部材８が取り付けられており、この緩衝部材８は、図４の一部破断斜視図で示すような構造にゴム等で形成されたものであり、図４に示すように、外周側には上カバー６に形成した孔に嵌め込むことのできる嵌込溝８ａが凹み状に形成され、内部には中央穴８ｂが形成されて、この中央穴８ｂの上面は、薄肉に形成した肉薄膨脹部８ｃで閉ざされたものとなっている。
【００１４】
この緩衝部材８は、カバー５，６内の内部圧力が上昇すると、圧力が中央穴８ｂに作用し、肉薄膨脹部８ｃを外側へ膨らませて、肉薄膨脹部８ｃで圧力上昇を良好に吸収できるように構成されており、多少の圧力上昇では肉薄膨脹部８ｃが風船状に膨らんで吸収することができるが、それ以上の内部圧力が生じた時には、圧力により緩衝部材８が変形して、緩衝部材８の嵌込溝８ａが上カバー６から外れるように設定されており、緩衝部材８が外れることで、内部圧を良好に上カバー６から浴室１内に逃がすことができるように構成されている。なお、緩衝部材８は外れた後にも、嵌込溝８ａを介し、再度、上カバー６に嵌め付けて使用することができるものである。
【００１５】
なお、緩衝部材８が良好に上カバー６から外れない時でも、内部圧力が高いと、肉薄膨脹部８ｃは大きく風船状に膨らみ、やがては、この肉薄膨脹部８ｃが破裂して破れ、中央穴８ｂを通り内部圧力が浴室１内に噴出されることとなり、良好に内部圧力を浴室１内に逃がして、上カバー６及び下カバー５の破損を回避することができるものであり、そのため、特に下カバー５が破損することが確実に防がれて、漏水の発生を確実に抑えることができるものとなる。
【００１６】
なお、さらに本例では、上カバー６の一部に、肉を薄くして平面に形成した肉薄平面部６ｅが形成されており、高い内部圧が発生した時に、この肉薄平面部６ｅに圧力が加わると、他の部分よりも弱いために、この肉薄平面部６ｅが破れて、この肉薄平面部６ｅの破れから良好に浴室１内に内部圧力を逃がすことができ、特に下カバー５の破損を確実に防ぐことができるように設定されている。
【００１７】
なお、例えば前記緩衝部材８の部位等に、逆止弁を設けて構成することもでき、緩衝部材８の代わりに逆止弁を設けておき、内部圧力が高くなった時に、逆止弁の内部のスプリングが内部圧力に押されて内部の弁が開き、浴室１内に圧力を解放することができるように設定しておくこともでき、逆止弁により良好にカバー５，６の破損を防いで、防水パン２から下方への漏水を確実に防ぐことができるように構成することができる。
【００１８】
【発明の効果】
本発明は、接合部で２以上に分割できるカバーに包囲されて、浴室ユニットの床，壁などの開口部または凹部に挿入状に設置される温水タンクであって、前記カバーは、浴室ユニット内に位置する前記接合部から内部圧力を解放できるように構成されていることにより、カバーの接合部から内部圧を浴室内に解放でき、カバーの破損を回避できて、浴室ユニットの床下への漏水を確実に防ぐことができるものとなる。
【００１９】
また、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力の上昇，低下を緩衝する緩衝部材が設けられていることにより、カバー内の内部圧の上昇，低下を緩衝部材が吸収して、カバーに掛かる応力を減少でき、カバーの破損を防ぐことができるものとなる。
【００２０】
また、前記緩衝部材は、カバー内部の圧力が所定以上に高くなると該カバーから外れる構造であることにより、内部圧が高い場合には、緩衝部材がカバーから外れることにより、内部圧を良好に浴室内に逃がすことができ、カバーの破損を防ぐことができるものとなる。
【００２１】
また、前記緩衝部材は、カバー内部の圧力が所定以上に高くなると破れて孔の開く構造であることにより、さらに高い内部圧が発生した時には、緩衝部材が破れて孔が開き、孔から確実に内部圧を浴室内に解放させることができ、カバーの破損を防いで浴室ユニットの床下への漏水を確実に防ぐことができるものとなる。
【００２２】
また、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると破損する肉薄部または平面部またはアール部が形成されていることにより、内部の圧力が高い時には、肉薄部または平面部またはアール部が破けて、ここから内部圧を浴室ユニット内に解放させることができ、下方側のカバーの破損を確実に防いで、浴室ユニット床下への漏水を確実に防ぐことができるものとなる。
【００２３】
また、接合部で２以上に分割できるカバーに包囲されて、浴室ユニットの床，壁などの開口部または凹部に挿入状に設置される温水タンクであって、前記カバーの浴室ユニット内に位置する部位には、該カバー内部の圧力が所定以上に高くなると圧力を解放する逆止弁が取り付けられていることにより、内部圧が上昇すると逆止弁から圧を逃がしてカバーの破損を防ぐことができ、浴室ユニットの床下への漏水を確実に防ぐことができるものとなる。
【図面の簡単な説明】
【図１】  温水タンクを包囲する上カバーと下カバーの接合状態の斜視構成図である。
【図２】  図１の縦断面構成図である。
【図３】  上カバーを取り除いた状態の温水タンクの斜視構成図である。
【図４】  緩衝部材の一部破断斜視構成図である。
【符号の説明】
１  浴室
２  防水パン
２ａ  開口部
３  温水タンク
３ａ  円筒曲面
３ｂ  椀状曲面
４  断熱材
５  下カバー
５ａ  円筒曲面
５ｂ  フランジ部
５ｃ  立上部
５ｄ  固定ビス孔
６  上カバー
６ａ  円筒曲面
６ｂ  椀状曲面
６ｃ  フランジ部
６ｄ  垂下部
６ｅ  肉薄平面部
６ｆ  ビス取付孔
７  パッキン
８  緩衝部材
８ａ  嵌込溝
８ｂ  中央穴
８ｃ  肉薄膨脹部
Ｐ  接合部
【図１】
0004021111.tif 000002
【図２】
0004021111.tif 000003
【図３】
0004021111.tif 000004
【図４】
0004021111.tif 000005